(57)【特許請求の範囲】
【請求項１】
１つの昇降路内に上下方向に離間配置され、それぞれ独立に昇降しうる少なくとも第１および第２の乗りかごと、
それぞれの乗りかごを昇降させる駆動手段と、
それぞれの乗りかごの運行を制御する運行制御装置と、
乗りかご及びホールに乗客が希望する利用階または利用方向を入力できる利用階入力装置または利用方向入力装置と、
位置、運転方向、運転状態、乗車の可否などの運行状況に関する情報を、ホールの前記情報を必要とする場所に、前記第１および第２の乗りかごについて表示する運行情報表示装置と、を備え、
前記運行情報表示装置は、前記昇降路の最下階の階床に該当する階床表示灯から最上階の階床に該当する階床表示灯へと一行に並べられた複数の階床表示灯と、前記第１および第２の乗りかごの昇降方向をそれぞれ表示する方向表示灯とを有しており、
前記運行制御装置は、前記一行に並べられた複数の階床表示灯のうち、前記第１の乗りかごが現在位置する階床に該当する階床表示灯を第１の色で表示し、前記第２の乗りかごが現在位置する階床に該当する階床表示灯を第２の色で表示するとともに、前記第１の乗りかごの昇降方向を表示する方向表示灯を前記第１の色で点灯させ、前記第２の乗りかごの昇降方向を表示する方向表示灯を前記第２の色で点灯させるように構成されていることを特徴とするエレベーター。
【請求項２】
位置、運転方向、運転状態、乗車の可否などの運行状況に関する情報を、ホールの前記情報を必要とする場所に、１つの昇降路内で運行する前記第１および第２の乗りかごについて音声で伝達する音声伝達装置をさらに備えることを特徴とする、請求項１記載のエレベーター。
【請求項３】
前記第１および第２の乗りかごの運行状況に関する情報を、１つの昇降路内で運行する前記第１および第２の乗りかごのうちどの乗りかごに関するものかを識別可能にした音声で伝達することを特徴とする、請求項２記載のエレベーター。
【請求項４】
前記第１および第２の乗りかご毎に、音質を変えた音声で前記情報を伝達することを特徴とする、請求項３記載のエレベーター。
【請求項５】
乗りかごが到着したことや、もうすぐ到着することを知らせる到着情報伝達装置をさらに備え、
前記到着情報伝達装置が、前記第１および第２の乗りかごのうちどの乗りかごが到着したかが識別可能なように構成されていることを特徴とする請求項１記載のエレベーター。
【請求項６】
前記到着情報伝達装置が、前記第１および第２の乗りかごの到着を光の点灯や点滅で知らせるように構成されており、前記第１および第２の乗りかご毎に点灯或いは点滅する光の性質が変えられていることを特徴とする、請求項５記載のエレベーター。
【請求項７】
前記到着情報伝達装置が、前記第１および第２の乗りかごの到着を音の発生で知らせるように構成されており、前記第１および第２の乗りかご毎に発生する音の性質が変えられていることを特徴とする、請求項５記載のエレベーター。
【請求項８】
乗りかごの呼び出しが発生したにもかかわらず、他の乗りかごの状態によって当該乗りかごの運転ができない場合に、他の乗りかごの運転状況や当該乗りかごの運転予定などの運行情報を伝達する運転不能情報伝達装置をさらに備えることを特徴とする、請求項１記載のエレベーター。
【請求項９】
前記運転不能情報伝達装置が文字を表示する装置で構成されていることを特徴とする、請求項８記載のエレベーター。
【請求項１０】
前記運転不能状態伝達装置が音声を発生する装置で構成されていることを特徴とする、請求項８記載のエレベーター。
【発明の詳細な説明】
【０００１】
【発明の属する技術分野】
本発明は、１つの昇降路内に上下方向に離間配置され、それぞれ独立に昇降しうる複数個の乗りかごを備えたエレベーターに関する。
【０００２】
【従来の技術】
一般にエレベーターにおいては、１つの昇降路には１台の乗りかごのみが昇降するように構成されている。一方、建物には、居住又は勤務している人数に応じて適切な台数のエレベーターが必要であり、これらの人口が多い建物ほどエレベーター台数を多く必要とする。しかしながら、エレベーターの台数を多くすることは、エレベーターの設置面積を多く必要とすることになり建物の有効面積が狭くなり、不経済となる等の問題がある。
【０００３】
そこで、２つの乗りかごを上下に重ねたダブルデッキエレベーターが提案されている。しかしながら、この方式は、建物の全ての階の高さを高くしなければならない点、上下の乗りかごのうちいずれか一方しか呼びがない場合にも他の乗りかごも同時に停止させなければならない点、また、昼間、夜間の閑散時には少ない乗客を２台分の大きさのエレベーターで運ばねばならないため消費電力が多い点等の問題がある。
【０００４】
このようなことから、上昇側昇降路と下降側昇降路の上層部及び下層部間を上部横行路及び下部横行路で連結して循環型の昇降路を形成し、この循環型の昇降路内を複数台の乗りかごが走行するようにしたシステムも提案されている。また、通常の昇降路内の上方に第１の乗りかごを、下方に第２の乗りかごを配設し、第１の乗りかごは昇降路上部の巻き上げ機に掛けたロープで駆動し、第２の乗りかごは昇降路の底部に設けた油圧プランジャーにより駆動するようにしたものも提案されている。
【０００５】
ところが、このようなものに於いては、上下の乗りかごに同時に乗客が乗り込み出発する場合、先に出発した乗りかごが次の階で停止すると、次の乗りかごは前の乗りかごの移動を待たなければならず、非効率的な運行になる。そこで、先に出発する乗りかごのサービス範囲を建屋全体の上層部に設定し、次に出発する乗りかごのサービス階を下層側に設定することにより、乗りかごの干渉を抑制するようにすることも提案されている。
【０００６】
【発明が解決しようとする課題】
ところが、このようなシステムにおいては、１つの昇降路内を複数個の乗りかごが移動し、しかも、停止階などが異なる違う種類の乗りかごが順次同一の出入り口に到達するため、希望する乗りかごとは異なる乗りかごに利用者が誤乗車する可能性がある。
【０００７】
また、ホールで待機している利用者が次に到着する乗りかごの種類を前もって認識できれば、誤乗車を防止することができ、エレベーターの利便性をさらに高めることができるが、従来のエレベーターにおいては次に来るエレベーターの種類等を認識することができない等の問題がある。
【０００８】
さらに、１つの昇降路に複数個の乗りかごが存在する場合には次のような問題がある。例えば、１つの昇降路に乗りかごAと乗りかごBが存在し、乗りかごAの行き先階に乗りかごBが停止している場合には、前述のように乗りかごAは乗りかごBが移動するのを待って発車する必要がある。このような場合、乗りかごAの乗客は発車準備ができているにもかかわらず、当該乗りかごが発車しないため、イライラ感や不安感を持つという問題が発生する。
【０００９】
本発明は、このような点に鑑み、１つの昇降路内に存在する複数個の乗りかごの運行状況を利用者に知らせることができ、また、ホールで待機している利用者が次に到着する乗りかごの種類を前もって認識でき、或いは、呼びが発生している階床への運行が直ちにはできない場合にイライラ感や不安感を除くことができるようにしたエレベーターを得ることを目的とする。
【００１０】
【課題を解決するための手段】
本発明は、１つの昇降路内に上下方向に離間配置され、それぞれ独立に昇降しうる少なくとも第１および第２の乗りかごと、
それぞれの乗りかごを昇降させる駆動手段と、
それぞれの乗りかごの運行を制御する運行制御装置と、
乗りかご及びホールに乗客が希望する利用階または利用方向を入力できる利用階入力装置または利用方向入力装置と、
位置、運転方向、運転状態、乗車の可否などの運行状況に関する情報を、ホールの前記情報を必要とする場所に、前記第１および第２の乗りかごについて表示する運行情報表示装置と、を備え、
前記運行情報表示装置は、前記昇降路の最下階の階床に該当する階床表示灯から最上階の階床に該当する階床表示灯へと一行に並べられた複数の階床表示灯と、前記第１および第２の乗りかごの昇降方向をそれぞれ表示する方向表示灯とを有しており、
前記運行制御装置は、前記一行に並べられた複数の階床表示灯のうち、前記第１の乗りかごが現在位置する階床に該当する階床表示灯を第１の色で表示し、前記第２の乗りかごが現在位置する階床に該当する階床表示灯を第２の色で表示するとともに、前記第１の乗りかごの昇降方向を表示する方向表示灯を前記第１の色で点灯させ、前記第２の乗りかごの昇降方向を表示する方向表示灯を前記第２の色で点灯させるように構成されていることを特徴とするエレベーター。
【００１１】
また、位置、運転方向、運転状態、乗車の可否などの運行状況に関する情報を、ホールの前記情報を必要とする場所に、前記第１および第２の乗りかごについて音声で伝達する音声伝達装置をさらに設けることができる。
【００１２】
また、乗りかごが到着したことや、もうすぐ到着することを知らせる到着情報伝達装置をさらに設け、
前記到着情報伝達装置は、前記第１および第２の乗りかごのうちどの乗りかごが到着したかが識別可能なように構成することができる。
【００１３】
さらに、乗りかごの呼び出しが発生したにもかかわらず、他の乗りかごの状態によって当該乗りかごの運転ができない場合に、他の乗りかごの運転状況や当該乗りかごの運転予定などの運行情報を伝達する運転不能情報伝達装置をさらに設けることができる。
【００１４】
【発明の実施の形態】
以下、添付図面を参照して本発明の実施の形態について説明する。
【００１５】
第１実施形態
図１及び図２は本発明の第１の実施の形態を示す図であって、地下２階から地上６階までの停止階床が８つある昇降路に、２台の乗りかごがある場合を例に取り説明する。
なお、乗りかごは３台以上あっても差し支えなく、停止階床の数にも制限はない。
【００１６】
昇降路内には乗りかご１a、１bの２台が配設されており、運行制御装置２からの指令に応じてそれぞれ独立した駆動手段により運行されるようにしてある。また、上記運行制御装置２には図しない位置検知手段により検知された各乗りかご１a、１bの現在位置が入力されている。
【００１７】
乗りかご１a、１bには、かご側利用階入力装置１０a、１０bと、かご側運行情報表示装置１１a、１１bが設けられており、それらは伝送線３を介して運行制御装置２と情報や信号のやりとりを行うことができるようにしてある。
【００１８】
また、各乗り場ホールには、ホール側利用方向入力装置４a、４bとホール側運行情報表示装置５a、５bが設けられており、それらも伝送線６を介して運行制御装置２と情報や信号のやりとりを行うことができるようにしてある。
【００１９】
図２はかご側運行情報表示装置１０a、１０b或いはホール側運行情報表示装置５a、５bに用いられる運行情報表示装置の１例を示す図であり、両端部には△或いは▽の方向表示灯７a、７b、８a、８bが設けられており、運行制御装置２からの信号に応じて、それぞれ青色で点灯するものと赤色で点灯するものが合計４つ付いている。青色で点灯する方向表示灯７a、８aは乗りかご１aに対応し、赤色で点灯する方向表示灯７b、８bは乗りかご１bに対応するようになっている。また、中央部には階床を表示する階床表示灯１２a〜１２hが設けられてあり、B２から６までの文字を、運行制御装置２からの信号に応じて、青或いは赤で点灯するようになっている。
【００２０】
しかして、かご側利用階入力装置１０a、１０b或いはホール側利用方向入力装置４a、４bを操作することにより、乗りかご１a、或いは乗りかご１bへの利用要求を運行制御装置２に伝えると、この情報を元に運行制御装置２によって所定の乗りかご１a、或いは１bが運行される。この場合、運行制御装置２は乗りかご１a、１bの運行方向に関する情報を持っているので、かご側或いはホール側の運行情報表示装置の方向表示灯７a、７b、８a、８bのいずれかが点灯され、乗りかごの運行方向が乗りかご内やホールに表示され、利用者にそのことが伝えられる。
【００２１】
また、運行制御装置２は、検知した乗りかご１a、１bの現在位置を階床表示灯の該当する部分を青色或いは赤色で点灯することにより表示し、利用客に伝える。例えば、乗りかご１aが４階にあり、乗りかご１bが地下１階にあり、共に上方に向かっている場合には、方向表示灯７a、７bがそれぞれ青と赤で▲のように点灯され、階床表示灯１２fが青で点灯され、階床表示灯１２bが赤で点灯される。
【００２２】
このようにして、１つの昇降路内に存在する複数個の乗りかごの運行状況を効果的に利用者に知らせることができる。
【００２３】
第１参考例
図３は、本発明の第１参考例を示す図であり、乗りかご１aの運行状況を表示する運行情報表示装置１３aと、乗りかご１bの運行情報表示装置１３bを用い、各乗りかご毎に複数の行で情報を表示するようにしてある。その他の点については第１の実施の形態と同一である。
【００２４】
すなわち、運行情報表示装置１３a及び１３bには、それぞれの両端部に△或いは▽の方向表示灯７a、７b、８a、８bが設けられており、中央部には階床を表示する階床表示灯１２a〜１２hが設けられ、B２から６までの文字を、運行制御装置２からの信号に応じて点灯するようになっている。
【００２５】
しかして、例えば乗りかご１aが４階にあり、乗りかご１bが地下１階にあり、共に上方行に向かっている場合には、運行情報表示装置１３aの方向表示灯７a、及び運行情報表示装置１３bの方向表示灯７bが共に▲のように点灯され、運行情報表示装置１３aの階床表示灯１２f、および運行情報表示装置１３bの階床表示灯１２bが点灯される。
【００２６】
このように、本実施の形態においても１つの昇降路内に存在する複数個の乗りかごの運行状態を利用者に知らせることができる。
【００２７】
第２参考例
また、図４は本発明の第２参考例を示す図であり、図２に示す運行情報表示装置の代わりに、運行情報表示装置１４が設けられている。すなわち、上記運行情報表示装置１４には、その両端部に△或いは▽の方向表示灯７a、７b、８a、８bが設けられており、中央下部には階床を示す数字B２〜６が印字されている。そして、これらの数字の上方には、乗りかご１a、１b用の矩形状の階床表示灯１５a〜１５h、及び１６a〜１６hが２行にわたって設けられ、運行制御装置２からの信号に応じて点灯されるようにしてある。
【００２８】
しかして、この場合にも方向表示灯７a、７b、８a、或いは８bの点灯によって各乗りかごの運行方向及びそれらの位置が表示される。例えば、乗りかご１aが４階にあり、乗りかご１bが地下１階にあり、共に上方向に向かっている場合には、方向表示灯７a、７bが点灯され、階床表示灯１５f、１６bが点灯される。
【００２９】
第３参考例
図５は本発明の第３参考例を示す図であり、図２に示す運行情報表示装置の代わりに、運行情報表示装置１７が設けられている。すなわち、上記運行情報表示装置１７には、その両端部に△或いは▽の方向表示灯７a、７b、８a、８bが設けられており、中央下部には階床を示す数字B２〜６が印字されている。そして、これらの数字の上方には、乗りかご１a、１bに対応して乗りかご１a、１bの現在の位置を示すように左右方向に移動する矢印状の階床表示部品１８a、１８bが設けられている。そして、運行制御装置２からの信号に応じて上記階床表示部品１８a、１８bがそれぞれ所定の場所まで移動するようになっている。
【００３０】
しかして、この場合にも方向表示灯７a、７b、８a、或いは８bの点灯によ乗りかごの運行方向を指示すると共に、階床表示部品１８a、１８bによって当該乗りかごの現在位置が表示される。例えば、乗りかご１aが４階にあり、乗りかご１bが地下１階にあり、共に上方向に向かっている場合には、方向表示灯７a、７bが▲のように点灯され、階床表示部品１８a、１８bがそれぞれ４階及びB１の位置に移動される。
【００３１】
第４参考例
また、図６は本発明の第４参考例を示す図であり、運行情報表示装置として、文字列表示装置１９a、１９bを有する運行情報表示装置２０が設けられている。すなわち、上記運行情報表示装置２０にはそれぞれ乗りかご１a、１bに関する情報が文字列で表示できるようになっており、乗りかご１a、１bの運行方向に関する情報や、乗りかごの位置に関する情報を表示し、利用者に伝えることができる。
【００３２】
第２の実施の形態
図７は本発明の第２の実施の形態を示す図であり、乗りかご１a、１b内、及び各ホールには、かご側音声伝達装置２１a、２１b、或いはホール側音声伝達装置２２a、２２bが設けられている。すなわち、かご側音声伝達装置２１a、２１b、及びホール側音声伝達装置２２a、２２bは、運行制御装置２からの信号に応じて、乗りかご１a、１bの運行方向や位置に関する情報を所定の音声で発することで伝えるようになっている。その他は図１に示すものと同一である。
【００３３】
しかして、エレベーターの利用者は上記音声によって乗りかごの運行方向や位置の情報を得ることができ、誤乗車等を防止することができる。上記音声の使用に際しては、音質の異なった音声を少なくとも２種類用意し、それらを乗りかご１a、１bで使い分けすることもできる。例えば、乗りかご１aの情報を伝える場合には男性の声を使用し、乗りかご１bの情報を伝える場合には女性の声を使用することで、複数の乗りかごに関する情報を区別して、乗りかご内やホールの利用客に伝えることができる。
【００３４】
第３の実施の形態
さらに、図８は第３の実施の形態を示す図であり、第１の実施の形態のエレベーターにおける各ホールに、到着情報伝達装置２３a、２３bが追加されており、これらが伝送線６によって運行制御装置２と情報や信号のやりとりを行うことができるようにしてある。
【００３５】
図９は、ホールドア２４の上部に到着情報伝達装置２３aを設けた例であり、到着情報伝達装置２３aは発光部２５を有し、運行制御装置２からの信号に応じて、少なくとも２種類の色を点灯又は点滅させることができる。
【００３６】
運行制御装置２は、乗りかご１a、或いは１bが所定階床に到達する場合、到達する以前に当該ホールの到着情報伝達装置２３aに信号を送り、その発光部２５を点灯又は点滅させるとともに、到着する乗りかごに対応して異なった色を使用するようになっている。したがって、この実施の形態においても、上記到着情報伝達装置２３aの発光部２５を見ることによって、ホールで待機している利用者が、次に到着する乗りかごの種類を前もって認識することができる。
【００３７】
第４の実施の形態
さらに、図１０は第４の実施の形態を示す図であり、各乗り場ホールに音発生部２６a、２６bを有する到着情報伝達装置２７a、２７bが設けられている。この到着情報伝達装置２７a、２７bにおける音発生部２６a、２６bは、音色や音質、メロディー、持続時間、断続時間などが異なる、少なくとも２種類の異なる音を発するようにしてあり、到着する乗りかごに対応して性質の異なる音が発生するようにしてある。しかして、この場合にも、到着情報伝達装置から発生する音によって次に到着する乗りかごの種類を知ることができる。上記到着情報伝達装置２７a、２７bは図１１に示すようにホールドア２４の上部に設けてもよい。
【００３８】
第５の実施の形態
図１２は、本発明の第５の実施の形態を示す図であって、各乗りかご１a、１b、及び各乗り場ホールに、かご側運転不能情報伝達装置２８a、２８b或いはホール側運転不能情報伝達装置２９a、２９bが設けられている。そして、これらの運転不能情報伝達装置２８a、２８b、２９a、２９bは伝送線６を介して運行制御装置２と情報や信号のやりとりを行うことができるようにしてある。その他の点は第１の実施の形態と同一である。
【００３９】
図１３は、かご側運転不能情報伝達装置２８a、２８b或いはホール側運転不能情報伝達装置２９a、２９bに用いられる運転不能情報の例を示すものであって、文字列表示部３０を有し、運行制御装置２からの信号に応じて、所定の文字を表示させることができる。
【００４０】
しかして、或ホールから乗りかご１bに利用要求があるにもかかわらず、当該ホール付近に乗りかご１aが停車しているために運転できないような場合には、運行制御装置２が乗りかご１bのかご側運転不能情報伝達装置２８bと、当該ホールに設置されたホール側運転不能情報伝達装置２９bに信号を送り、例えば図１３に示したような文字を表示することで、利用客に直ちには出発できない旨の情報を与えることができ、利用者のイライラ感や不安感を除くことができる。
【００４１】
また、運転不能情報伝達装置として図１４に示すものを用いてもよい。図１４に示した運転不能情報伝達装置３１は３つの文字列表示部３２a、３２b、３２cを有しており、その各文字列表示部３２a〜３２cは所定の文字が記入された透明板を表側に有し、透明板の裏側に設けられた電灯を点灯し、書かれた文字を浮かび上がらせることで、利用客に直ちには出発できない旨の情報を与えることができる。
【００４２】
第６の実施の形態
図１５は、本発明のさらに第６の実施の形態を示す図であり、各乗りかご１a、１b、及び各乗り場ホールに、運行制御装置２からの信号に応じて所定の音声を発生する音声発生部を有するかご側運転不能情報伝達装置３３a、３３b、ホール側運転不能情報伝達装置３４a、３４bが設けられている。
【００４３】
しかして、或ホールから乗りかご１bに利用要求があるにもかかわらず、当該ホール付近に乗りかご１aが停車しているために運転できないような場合には、運行制御装置２が乗りかご１bのかご側運転不能情報伝達装置３３bと、当該ホールに設置されたホール側運転不能情報伝達装置３４bに信号を送り、例えば図１３に示したような文字を音声で発生することで、利用客に直ちには出発できない旨の情報を与えることができ、利用者のイライラ感や不安感を除くことができる。
【００４４】
【発明の効果】
以上説明したように、本発明は乗りかごの位置、運転方向、運転状態、乗車の可否などの運行状況に関する情報を、乗りかご内やホールなどの前記情報を必要とする場所に、１つの昇降路内で運行する複数の乗りかごについて表示する運行情報表示装置、或いは情報伝達装置、又は運転不能情報伝達装置を設けたので、昇降路内に存在する複数個の乗りかごの運行状況を知ることができ、次に到着する乗りかごの種類をホールにおいて前もって認識できる。したがって、ホールにおいて待機している場合にも余裕を持って待つことができ、誤乗車を防止することができる。また、運転不能情報伝達装置を設けた場合には、呼びが発生している階床への運行が直ちにできない場合のイライラ感や不安感を取り除くこともできる。
【図面の簡単な説明】
【図１】  本発明における第１の実施の形態を示す概略構成図。
【図２】  第１の実施の形態に使用する運行情報表示装置を示す図。
【図３】  第１参考例の運行情報表示装置を示す図。
【図４】  第２参考例の運行情報表示装置を示す図。
【図５】  第３参考例の運行情報表示装置を示す図。
【図６】  第４参考例の運行情報表示装置を示す図。
【図７】  本発明の第２の実施の形態を示す図。
【図８】  本発明の第３の実施の形態を示す図。
【図９】  第３の実施の形態における到着情報伝達装置の配置状態を示す図。
【図１０】  本発明の第４の実施の形態を示す図。
【図１１】  第４の実施の形態における到着情報伝達装置の配置状態を示す図。
【図１２】  本発明の第５の実施の形態を示す図。
【図１３】  第５の実施の形態における到着情報伝達装置を示す図。
【図１４】  第５の実施の形態における到着情報伝達装置の他の例を示す図。
【図１５】  本発明の第６の実施の形態を示す図。
【符号の説明】
１a、１b  乗りかご
２  運行制御装置
３，６  伝送線
４a、４b  ホール側利用方向入力装置
５a、５b  ホール側運行情報表示装置
７a、７b、８a、８b  方向表示灯
１０a、１０b  かご側利用階入力装置
１１a、１１b  かご側運行情報表示装置
１２a…１２h  階床表示灯
１３a、１３b、１４，１７，２０  運行情報表示装置
１５a…１５h、１６a…１６h  階床表示灯
１８a、１８b  階床表示部品
１９a、１９b  文字列表示装置
２１a、２１b  かご側音声伝達装置
２２a、２２b  ホール側音声伝達装置
２３a、２３b、２７a、２７b  到着情報伝達装置
２４  ホールドア
２５  発光部
２６a、２６b  音発生部
２８a、２８b、３３a、３３b  かご側運転不能情報伝達装置
２９a、２９b、３４a、３４b  ホール側運転不能情報伝達装置
３２a…３２ｃ  文字列表示部
【図１】
0004698004.tif 000002
【図２】
0004698004.tif 000003
【図３】
0004698004.tif 000004
【図４】
0004698004.tif 000005
【図５】
0004698004.tif 000006
【図６】
0004698004.tif 000007
【図７】
0004698004.tif 000008
【図８】
0004698004.tif 000009
【図９】
0004698004.tif 000010
【図１０】
0004698004.tif 000011
【図１１】
0004698004.tif 000012
【図１２】
0004698004.tif 000013
【図１３】
0004698004.tif 000014
【図１４】
0004698004.tif 000015
【図１５】
0004698004.tif 000016